(57)【要約】【課題】印刷データに含まれる画像情報を変換することで電子書籍を生成する場合に比べて、電子書籍の表示をより出版物に近づけることができる電子書籍生成装置を提供する。【解決手段】電子書籍生成装置３の情報取得部３１０は、１又は複数のページの画像を含む印刷画像情報と、印刷装置が印刷対象とする紙を制御する制御情報とを取得する。電子書籍生成装置３の電子書籍生成部３２０は、印刷画像情報と制御情報とに基づいて、１又は複数のページの画像と前記ページの表示態様とを示す情報を含む電子書籍を生成する。【選択図】図３
2017058771.tif 000002
【特許請求の範囲】
【請求項１】
１又は複数のページの画像を含む印刷画像情報と、印刷装置が印刷対象とする紙を制御する制御情報とを取得する取得手段と、
前記印刷画像情報と前記制御情報とに基づいて、前記１又は複数のページの画像と前記ページの表示態様とを示す情報を含む電子書籍を生成する生成手段と、
を含む電子書籍生成装置。
【請求項２】
前記制御情報は、前記１又は複数のページが印刷される用紙の種別を含み、
前記生成手段は、前記用紙の種別に基づいて前記１又は複数のページの表示態様を示す情報を含む電子書籍を生成する
請求項１に記載の電子書籍生成装置。
【請求項３】
前記生成手段は、前記印刷画像情報と前記制御情報とに基づいて、前記１又は複数のページの画像であって、前記制御情報に応じて加工された画像を示す情報を含む電子書籍を生成する
請求項１又は２に記載の電子書籍生成装置。
【請求項４】
前記制御情報は、前記１又は複数のページが両面印刷されるか否かを示す両面情報及び印刷された用紙に対する処理を示す処理情報のうち少なくとも一方を含み、
前記生成手段は、前記両面情報及び前記処理情報のうち少なくとも一方に関連づけられた表示態様を示す情報を含む電子書籍を生成する
請求項１から３のいずれかに記載の電子書籍生成装置。
【請求項５】
前記制御情報は、印刷される前記１又は複数のページのうちいずれかの隣り合うページの間に用紙を挿入させる挿入情報を含み、
前記生成手段は、前記挿入情報に応じた前記１又は複数のページの表示態様を示す情報を含む電子書籍を生成する
請求項１から４のいずれかに記載の電子書籍生成装置。
【請求項６】
１又は複数のページの画像を含む印刷画像情報と、印刷装置が印刷対象とする紙を制御する制御情報とを取得する取得手段、及び
前記印刷画像情報と前記制御情報とに基づいて、前記１又は複数のページの画像と前記ページの表示態様とを示す情報を含む電子書籍を生成する生成手段
としてコンピュータを動作させるための電子書籍生成プログラム。
【発明の詳細な説明】
【技術分野】
【０００１】
本発明は、電子書籍生成装置、及び、電子書籍生成プログラムに関する。
【背景技術】
【０００２】
特許文献１には、印刷データからプレビュー用画像を生成することと、その印刷データの印刷属性に基づいてプレビュー用画像を生成するか否かを判定することが開示されている。また、特許文献２には、内部形式データを、出力装置に応じた端末表示命令に変換することが開示されている。
【先行技術文献】
【特許文献】
【０００３】
【特許文献１】特開２０１４−０５９６９６号公報
【特許文献２】特開平１−１６１４６７号公報
【発明の概要】
【発明が解決しようとする課題】
【０００４】
本発明の目的は、印刷データに含まれる画像情報を変換することで電子書籍を生成する場合に比べて、電子書籍の表示をより出版物に近づけることができる電子書籍生成装置を提供することである。
【課題を解決するための手段】
【０００５】
請求項１に記載の発明は、１又は複数のページの画像を含む印刷画像情報と、印刷装置が印刷対象とする紙を制御する制御情報とを取得する取得手段と、前記印刷画像情報と前記制御情報とに基づいて、前記１又は複数のページの画像と前記ページの表示態様とを示す情報を含む電子書籍を生成する生成手段と、を含む電子書籍生成装置である。
【０００６】
また、請求項２に記載の発明は、前記制御情報は、前記１又は複数のページが印刷される用紙の種別を含み、前記生成手段は、前記用紙の種別に基づいて前記１又は複数のページの表示態様を示す情報を含む電子書籍を生成する請求項１に記載の電子書籍生成装置である。
【０００７】
また、請求項３に記載の発明は、前記生成手段は、前記印刷画像情報と前記制御情報とに基づいて、前記１又は複数のページの画像であって、前記制御情報に応じて加工された画像を示す情報を含む電子書籍を生成する請求項１又は２に記載の電子書籍生成装置である。
【０００８】
また、請求項４に記載の発明は、前記制御情報は、前記１又は複数のページが両面印刷されるか否かを示す両面情報及び印刷された用紙に対する処理を示す処理情報のうち少なくとも一方を含み、前記生成手段は、前記両面情報及び前記処理情報のうち少なくとも一方に関連づけられた表示態様を示す情報を含む電子書籍を生成する請求項１から３のいずれかに記載の電子書籍生成装置である。
【０００９】
また、請求項５に記載の発明は、前記制御情報は、印刷される前記１又は複数のページのうちいずれかの隣り合うページの間に用紙を挿入させる挿入情報を含み、前記生成手段は、前記挿入情報に応じた前記１又は複数のページの表示態様を示す情報を含む電子書籍を生成する請求項１から４のいずれかに記載の電子書籍生成装置である。
【００１０】
また、請求項６に記載の発明は、１又は複数のページの画像を含む印刷画像情報と、印刷装置が印刷対象とする紙を制御する制御情報とを取得する取得手段、及び前記印刷画像情報と前記制御情報とに基づいて、前記１又は複数のページの画像と前記ページの表示態様とを示す情報を含む電子書籍を生成する生成手段としてコンピュータを動作させるための電子書籍生成プログラムである。
【発明の効果】
【００１１】
上記請求項１の電子書籍生成装置によれば、印刷データに含まれる画像情報を変換することで電子書籍を生成する場合に比べて、電子書籍の表示をより出版物に近づけることができる。
【００１２】
また、上記請求項２の電子書籍生成装置によれば、出版物の用紙の種別を、電子書籍の表示に反映させることができる。
【００１３】
また、上記請求項３の電子書籍生成装置によれば、制御情報に応じて１又は複数のページの画像を加工して、電子書籍を生成することができる。
【００１４】
また、上記請求項４の電子書籍生成装置によれば、両面印刷されるか否か及び印刷された用紙に対する処理のうちの少なくとも一方を、電子書籍の表示に反映させることができる。
【００１５】
また、上記請求項５の電子書籍生成装置によれば、隣り合うページの間に挿入される用紙の情報を、電子書籍の表示に反映させることができる。
【００１６】
また、上記請求項６の電子書籍生成プログラムによれば、コンピュータを用いて、印刷データに含まれる画像情報を変換することで電子書籍を生成する場合に比べて、電子書籍の表示をより出版物に近づけることができる。
【図面の簡単な説明】
【００１７】
【図１】電子書籍生成システム１０の機器構成の一例を示す図である。
【図２】制御情報の一例を示す図である。
【図３】電子書籍生成装置３の機能的構成の一例を示す機能ブロック図である。
【図４Ａ】ユーザの端末装置における電子書籍の表示態様の一例を示す図である。
【図４Ｂ】ユーザの端末装置における電子書籍の表示態様の一例を示す図である。
【発明を実施するための形態】
【００１８】
以下に、本発明を実施するための形態（以下、実施形態と呼ぶ）を、図面に従って説明する。なお、本明細書の各図について、既出の図に関して前述したものと同様の要素には同一の符号を付して、詳細な説明を適宜省略することがある。
【００１９】
［１．電子書籍生成システムの機器構成］
図１は、本実施形態に係る電子書籍生成システム１０の機器構成の一例を示す図である。同図に示すように、電子書籍生成システム１０は、印刷データ出力装置１と、印刷装置２と、電子書籍生成装置３とを含んでいる。
【００２０】
印刷データ出力装置１は、印刷装置２と電子書籍生成装置３とに対して、印刷に係る１又は複数のページの画像を含む印刷画像情報と、当該印刷において印刷装置２が印刷対象とする紙（以下、印刷用紙とも呼ぶ）を制御するための制御情報とを出力する。印刷データ出力装置１は、例えば、サーバコンピュータやパーソナルコンピュータ、タブレット端末、スマートフォンなどの情報処理装置としてよい。この場合、印刷データ出力装置１は、マイクロプロセッサなどの制御部と、ＲＡＭやハードディスクなどの記憶部と、通信インタフェースとを含んでおり、インターネットなどの通信ネットワークを介して印刷装置２及び電子書籍生成装置３に接続される。印刷データ出力装置１は、記憶部に記憶されるデータを、通信インタフェースを介して印刷装置２と電子書籍生成装置３とに出力することができる。
【００２１】
また例えば、印刷データ出力装置１は、磁気テープや磁気ディスク（ＨＤＤ、ＦＤ（Ｆｌｅｘｉｂｌｅ  Ｄｉｓｋ））などの磁気記憶媒体、又は、光ディスク（ＣＤ、ＤＶＤ）などの光磁気記憶媒体、フラッシュＲＯＭなどの半導体メモリといったコンピュータが読み取り可能な記憶媒体にデータを出力してよく、これらの記憶媒体が印刷装置２や電子書籍生成装置３により読み取られることで、これらの装置に自装置が記憶するデータを出力してもよい。
【００２２】
印刷装置２は、例えば、プリンタ機能や製本機能、ステープル機能を備えた複合機であり、印刷データ出力装置１により出力される印刷画像情報及び制御情報に基づいて、印刷処理を実行する。より具体的には、印刷装置２は、制御情報に基づいて印刷用紙を制御しつつ、この印刷用紙に対して印刷画像情報により示される１又は複数のページの画像を出力する。
【００２３】
印刷装置２に対し出力される印刷画像情報は、１又は複数のページの画像を含む。印刷画像情報は、例えば、出版される書籍（以下、出版物とも呼ぶ）に含まれるページの画像についての情報であり、ページ単位のテキストやテキスト以外の画像などの情報を含んでいる。また、印刷装置２に対して出力される制御情報は、印刷画像情報に関連付けられており、印刷画像情報に含まれるページの印刷において、印刷装置２が印刷対象とする紙（印刷用紙）を制御するための情報である。
【００２４】
図５は、制御情報の一例を示す図である。図５に示すように、制御情報は、印刷装置２により印刷対象とされる印刷用紙の種別と、印刷用紙の大きさを示す用紙サイズと、印刷時の用紙の向きと、両面か片面かを示す両面情報と、複数のページが印刷される場合にこれらのうちいずれかの隣り合うページの間に挿入される用紙（以降、挿入紙と呼ぶ）を示す挿入情報と、印刷された印刷用紙に対する処理（例えば、製本処理やホチキス止め）（以下、後処理とも呼ぶ）を示す後処理情報と、例外的に異なる印刷用紙とするページを示す例外用紙の情報と、を含む。印刷用紙の種別は、例えば、印刷用紙の名称や特徴、材質を含む情報としてよく、図２の例では、印刷用紙がエンボス紙又はカラー紙であることを示している。印刷装置２は、制御情報に基づいて、印刷対象とする印刷用紙を複数の種類の中から選択したり、隣り合うページの間に挿入紙を挿入したり、特定のページの印刷用紙を他のページの印刷用紙とは異なる印刷用紙にしたり、印刷済みの印刷用紙に対して製本処理やホチキス止めなどの後処理を実行したりする。なお、図２に示した制御情報は一例であって、必ずしもこれに限定されるものではない。例えば、制御情報は、図２に列挙した情報のうちの一部を含むものであってもよい。
【００２５】
電子書籍生成装置３は、印刷データ出力装置１から、印刷装置２に対し供給される印刷画像情報及び制御情報と同じ情報を取得して、出版物の１又は複数のページの画像を含む情報である電子書籍を生成する。電子書籍生成装置３は、例えば、サーバコンピュータなどの情報処理装置であり、マイクロプロセッサなどの制御部３１と、ＲＡＭやハードディスクなどの記憶部３２と、通信インタフェース３３と、を含む。ユーザは、電子書籍生成装置３により生成された電子書籍を自身が所有する端末装置（パーソナルコンピュータやタブレット端末など）に記憶させることで、該端末装置にインストールされた閲覧用プログラムを用いて、該電子書籍に含まれるページの画像を閲覧することができる。
【００２６】
［２．電子書籍生成装置の機能ブロック］
図３は、第１の実施形態に係る電子書籍生成装置３の機能的構成の一例を示す機能ブロック図である。図３に示すように、電子書籍生成装置３は、機能的には、情報取得部３１０と、電子書籍生成部３２０と、を含む。これらの機能は、電子書籍生成装置３の制御部３１が記憶部３２に記憶される電子書籍生成プログラムを実行することにより実現される。なお、電子書籍生成プログラムは、磁気テープや磁気ディスク（ＨＤＤ、ＦＤ（Ｆｌｅｘｉｂｌｅ  Ｄｉｓｋ））などの磁気記憶媒体、又は、光ディスク（ＣＤ、ＤＶＤ）などの光磁気記憶媒体、フラッシュＲＯＭなどの半導体メモリといったコンピュータが読み取り可能な記憶媒体に記憶された状態で提供されてもよい。また、電子書籍生成プログラムは、インターネットなどのネットワークを経由してダウンロードされてもよい。
【００２７】
［２−１．情報取得部］
情報取得部３１０は、印刷データ出力装置１から、１又は複数のページの画像を含む印刷画像情報と、印刷装置２が印刷対象とする印刷用紙を制御する制御情報とを取得する。情報取得部３１０は、印刷装置２に対して供給される印刷画像情報及び制御情報と同じ情報を取得する。情報取得部３１０は、電子書籍生成装置３の制御部３１により実現されてよい。情報取得部３１０は、記憶媒体として構成される印刷データ出力装置１から読み取ることで印刷画像情報及び制御情報を取得してよいし、情報処理装置として構成される印刷データ出力装置１から、電子書籍生成装置３の通信インタフェース３３を用いてダウンロードすることで印刷画像情報及び制御情報を取得してもよい。
【００２８】
［２−２．電子書籍生成部］
電子書籍生成部３２０は、情報取得部３１０が取得した印刷画像情報と制御情報とに基づいて、１又は複数のページの画像と、該ページの表示態様と、を示す情報を含む電子書籍を生成する。電子書籍生成部３２０は、電子書籍生成装置３の制御部３１により実現されてよい。
【００２９】
本実施形態では、図３に示すように、電子書籍生成部３２０は、ページ画像加工部３２１と、表示態様情報付加部３２２とを含んでいる。それぞれの機能について、以下に説明する。
【００３０】
［２−２−１．ページ画像加工部］
ページ画像加工部３２１は、印刷画像情報に含まれる１又は複数のページの画像を、制御情報により示される用紙の種別に応じて加工する。例えば、制御情報に含まれる用紙の種別がエンボス紙である場合、ページ画像加工部３２１は、印刷画像情報に含まれる画像に対し、エンボス加工の画像処理を施す。また例えば、制御情報に含まれる用紙の種別がカラー紙である場合、ページ画像加工部３２１は、印刷画像情報に含まれる画像の背景色を、当該カラー紙の色（例えば、黄色や水色、桃色）に変換する。これにより、電子書籍生成部３２０は、ページ画像加工部３２１により加工されたページの画像を含む電子書籍を生成する。即ち、電子書籍生成部３２０は、印刷画像情報と制御情報とに基づいて、１又は複数のページの画像であって、制御情報に応じて加工された画像を示す情報を含む電子書籍を生成する。
【００３１】
また、ページ画像加工部３２１は、制御情報により示される用紙サイズ及び用紙の向きに応じて、印刷画像情報に含まれる１又は複数ページの画像に対して画像領域を設定する。例えば、制御情報に含まれる用紙の向きが「横」である場合、ページ画像加工部３２１は、横長の画像に加工する。
【００３２】
また、ページ画像加工部３２１は、制御情報に例外用紙の情報が存在する場合、ページ画像加工部３２１は、例外用紙の情報により示されるページについて、例外用紙の情報に従って加工する。例えば、図２に示すように、４４ページ目に対して、用紙サイズ「Ａ３」、用紙の向き「横」が設定される場合、ページ画像加工部３２１は、４４ページ目の画像の大きさを他のページ（用紙サイズ「Ａ４」が設定されるページ）のものよりも大きくしたり、４４ページ目だけ画像の向きを変更したりする。
【００３３】
［２−２−２．表示態様情報付加部］
表示態様情報付加部３２２は、電子書籍に含まれる画像が表示される際の表示態様を示す情報を、該電子書籍に付加する。本実施形態では、表示態様情報付加部３２２は、制御情報に含まれる情報の中から、両面印刷か片面印刷かを示す両面情報と、印刷された用紙に対する処理を示す後処理情報とのうちの少なくとも一方に関連付けられた表示態様を示す情報を、電子書籍に付加する。これにより、電子書籍生成部３２０は、両面情報と後処理情報とのうちの少なくとも一方に関連付けられた表示態様を示す情報を含む電子書籍を生成する。また、ユーザの端末装置にインストールされた閲覧用プログラムは、電子書籍に含まれる表示態様を示す情報に基づいて電子書籍の画像を加工して、該端末装置に接続された表示装置に表示させる。
【００３４】
例えば、制御情報に含まれる両面情報が「両面印刷」を示すか、制御情報に含まれる後処理情報が「製本」を示す場合、表示態様情報付加部３２２は、図４Ａのように、本を開くような表示態様を示す情報を電子書籍に付加してよい。他にも例えば、制御情報に含まれる両面情報が「片面印刷」を示すか、制御情報に含まれる後処理情報が「ホチキス」を示す場合、表示態様情報付加部３２２は、図４Ｂのように、バインダーをめくるような表示態様を示す情報を電子書籍に付加してよい。ユーザの端末装置にインストールされた閲覧用プログラムは、図４Ａ及び図４Ｂに示す表示態様で電子書籍の内容を表示させてよいし、該電子書籍のプレビューを表示させる際に、これらの表示態様を適用してもよい。
【００３５】
また、表示態様情報付加部３２２は、１又は複数のページのうちいずれかの隣り合うページの間に挿入される用紙の情報を示す挿入情報に応じたページの表示態様を示す情報を、電子書籍に付加する。これにより、電子書籍生成部３２０は、挿入情報に関連付けられた表示態様の情報を含む電子書籍を生成する。
【００３６】
例えば、図２に示すように、挿入情報が、挿入情報により２３ページ目と２４ページ目の間に用紙が挿入されることを示す場合、表示態様情報付加部３２２は、これらのページの間に、章や節などのチャプターの区切りが挿入されることを示す情報を、電子書籍に挿入する。ユーザの端末装置にインストールされた閲覧用プログラムは、チャプターの区切りの直前のページ（例えば、２３ページ目）の次のページを、予め定められたページ（具体的には、空白のページや、チャプターの番号やサブタイトルなどが記載されたページなど）としてよいし、簡単な操作でチャプターの区切りの直後のページ（例えば、２４ページ目）を表示させる機能（いわゆる、しおり機能）を有することとしてもよい。
【００３７】
以上のように、本実施形態では、電子書籍生成装置３は、印刷用紙を制御するための制御情報に基づいて、画像の表示態様を示す情報を含む電子書籍を生成する。このため、ユーザの端末装置には、印刷用紙に基づく表示態様で、電子書籍に含まれるページの画像が表示される。即ち、単に印刷画像情報を変換すること電子書籍を生成する場合に比べて、電子書籍の表示をより出版物の状態に近づけることができる。
【００３８】
また、電子書籍生成装置３は、印刷装置２に供給される情報を流用して電子書籍を生成する。このため、電子書籍を生成するための専用のデータを作成する手間を省くことができ、容易に電子書籍を生成できるようになる。
【００３９】
［３．変形例］
以上、本発明の一例である実施形態について説明したが、本発明はこれに限定されるものではない。以下、本発明の実施形態を変形した幾つかの例（変形例）の一部について説明する。
【００４０】
［３−１．第１の変形例］
実施形態においては、電子書籍生成装置３の電子書籍生成部３２０は、印刷画像情報に含まれる１又は複数のページの画像に対してページ画像加工部３２１により加工された画像を含む電子書籍を生成する場合について説明したが、電子書籍生成部３２０は、制御情報に含まれる印刷用紙の種別に基づいて、１又は複数のページの表示態様を示す情報を含む電子書籍を生成してもよい。
【００４１】
より具体的には、電子書籍生成部３２０の表示態様情報付加部３２２は、制御情報に含まれる印刷用紙の種別に基づいて、１又は複数のページの表示態様を示す情報を電子書籍に付加してもよい。例えば、制御情報に含まれる用紙の種別がエンボス紙である場合、表示態様情報付加部３２２は、ユーザの端末装置の閲覧用プログラムに対して適用される視覚効果（いわゆるフィルタ）として、エンボスの視覚効果を適用する旨の情報を付加してもよい。また、表示態様情報付加部３２２は、制御情報に含まれる用紙サイズ及び用紙の向き、例外用紙の情報に応じて、ページを表示する際の画像サイズや画像の向きを示す情報を電子書籍に付加してもよい。このようにすることでも、電子書籍の表示を、出版物の状態に近づけることができる。なお、このように、表示態様情報付加部３２２が印刷用紙の種別に基づいて表示態様を示す情報を付加する場合、電子書籍生成部３２０は、必ずしもページ画像加工部３２１を有さなくてよい。
【００４２】
［３−２．第２の変形例］
また、実施形態では、電子書籍生成装置３は、印刷データ出力装置１が出力した印刷画像情報並びに制御情報を取得する場合について説明したが、電子書籍生成装置３は、自らが生成した印刷画像情報及び制御情報に基づいて、電子書籍を生成してもよい。この場合、電子書籍生成システム１０は、印刷データ出力装置１を有さなくてよい。また、電子書籍生成システム１０は、印刷装置２を有するものでなくてもよい。
【符号の説明】
【００４３】
１  印刷データ出力装置、２  印刷装置、３  電子書籍生成装置、１０  電子書籍生成システム、３１  制御部、３２  記憶部、３３  通信インタフェース、３１０  情報取得部、３２０  電子書籍生成部、３２１  ページ画像加工部、３２２  表示態様情報付加部。
【図１】
2017058771.tif 000003
【図２】
2017058771.tif 000004
【図３】
2017058771.tif 000005
【図４Ａ】
2017058771.tif 000006
【図４Ｂ】
2017058771.tif 000007